(57)【要約】      （修正有）【課題】計時器用ムーブメントにおいて任意の表示用可動部品を調整するための摩擦システムを備える調整機構を提供する。【解決手段】弾性細長材４を有する計時器の表示用可動部品である。この弾性細長材４は、表示軸に戻されて、軸のまわりに、ムーブメント又は機構の駆動用可動部品３のアーバー２と摩擦駆動するように連係する。この可動部品は、フランジ５を有し、これには、各弾性細長材４に対向するように手動の道具又はロボット的道具の挿入とガイドのための開口６があり、これによって、道具が弾性細長材４を平穏位置から離すことが可能になり、この可動部品が通ることが可能になるために十分に弾性細長材４が離れているときにアーバー２に可動部品を挿入することが可能になり、アーバー２上のすべての弾性細長材４の摩擦値が、それらがアーバー２と摩擦連係しており道具が弾性細長材４に接していないときに、一定であることを確実にする。【選択図】図２
2020095030.tif 000002
【特許請求の範囲】
【請求項１】
少なくとも１つの弾性細長材（４）を有する計時器の表示用可動部品（１）であって、
前記弾性細長材（４）は、表示軸（ＤＡ）に近い平穏位置に戻って、ムーブメント（１００）又は計時器用機構の駆動用可動部品（３）が備えるアーバー（２）と前記表示軸（ＤＡ）のまわりに摩擦駆動するように連係するように意図されており、
前記表示用可動部品（１）は、フランジ（５）を有し、このフランジ（５）には、各弾性細長材（４）に対向するように開口（６）があり、
この開口（６）は、操作者によって操作される道具又はロボット的マニピュレーターによって操作される道具が挿入されガイドされるように構成しており、
これによって、前記道具が、前記弾性細長材（４）をその平穏位置から離し、前記表示用可動部品（１）が通すことが可能なように十分に前記弾性細長材（４）が離れているときに前記表示用可動部品（１）に前記アーバー（２）を挿入することを可能にし、前記弾性細長材（４）が前記アーバー（２）と摩擦連係しており前記道具が前記弾性細長材（４）と接しないようになったときに前記アーバー（２）上のすべての前記弾性細長材（４）の摩擦値が一定であることを確実にし、
前記表示用可動部品（１）が備える前記弾性細長材（４）はすべて、共通の一体化された弾性構造（７）の一部であり、
前記一体化された弾性構造（７）は、取り外し可能であり固定位置にて前記フランジ（５）と組み付けられるように構成しているか、又は、回転可能に前記フランジ（５）にマウントされるように構成しており、
これによって、前記表示軸（ＤＡ）を中心とする前記弾性細長材（４）の半径方向の広がりを大きくすることができ、
前記一体化された弾性構造（７）には、前記フランジ（５）が備える相補的インデキシング要素（９）と連係するように構成しているインデキシング要素（８）があり、
これによって、前記弾性細長材（４）が前記アーバー（２）と摩擦連係しており前記道具が前記弾性細長材（４）に接していないときに前記インデキシング要素（８）と前記相補的インデキシング要素（９）が一体的に回転するようにする
ことを特徴とする表示用可動部品（１）。
【請求項２】
前記表示用可動部品（１）は、複数の前記弾性細長材（４）を有し、
前記弾性細長材（４）は、前記弾性細長材が前記アーバー（２）に与える半径方向の力の前記表示軸（ＤＡ）上における合力がゼロであるように構成している
ことを特徴とする請求項１に記載の表示用可動部品（１）。
【請求項３】
前記表示用可動部品（１）は、前記表示軸（ＤＡ）に対して対称に構成している２つの前記弾性細長材（４）を有し、
前記開口（６）は、前記表示軸（ＤＡ）に対して対称なオブロング状の溝である
ことを特徴とする請求項２に記載の表示用可動部品（１）。
【請求項４】
前記開口（６）は、前記表示軸（ＤＡ）を通り抜ける直線に沿ったオブロング状の溝（６１、６２）である
ことを特徴とする請求項３に記載の表示用可動部品（１）。
【請求項５】
前記一体化された弾性構造（７）は、回転可能に前記フランジ（５）にマウントされ、前記表示軸（ＤＡ）を中心とする前記弾性細長材（４）の半径方向の広がりを大きくすることができるように構成しており、
前記一体化された弾性構造（７）は、前記フランジ（５）が備える相補的インデキシング要素（９）と連係するように構成しているインデキシング要素（８）を有し、
これによって、前記弾性細長材（４）が前記アーバー（２）と摩擦連係しており前記道具が前記弾性細長材（４）に接していないときに前記インデキシング要素（８）と前記相補的インデキシング要素（９）が一体的に回転するようにし、
前記フランジ（５）には、各弾性細長材（４）に対向するようにリリーフ部（１１）があり、
このリリーフ部（１１）は、前記一体化された弾性構造（７）に対する取り付け点（１２）又は固定点と、前記表示軸（ＤＡ）の近くの前記弾性細長材（４）にある摩擦領域（１３）との間にて、前記弾性細長材（４）上に平穏状態となるように配置されるように構成しており、
これによって、前記フランジ（５）と前記一体化された弾性構造（７）の間の相対的角位置に応じて前記弾性細長材（４）が与える当接力を変える
ことを特徴とする請求項１に記載の表示用可動部品（１）。
【請求項６】
各弾性細長材（４）は、前記フランジ（５）に又は前記フランジ（５）上に配置された共通の一体化された弾性構造（７）に取り付けられるための少なくとも１つのアタッチメント（４１）を有し、
このアタッチメント（４１）は、前記表示軸（ＤＡ）から離れており、これによって、前記表示軸（ＤＡ）の近くの前記表示軸（ＤＡ）を中心とする半径方向における前記弾性細長材（４）の最大限の運動が可能になる
ことを特徴とする請求項１に記載の表示用可動部品（１）。
【請求項７】
各弾性細長材（４）は、そのアタッチメント（４１）に対してカンチレバー構成にされ、
各弾性細長材（４）には、その遠位端又はその遠位端の近くにおいて、前記アーバー（２）と摩擦連係するように構成している摩擦領域（１３）がある
ことを特徴とする請求項６に記載の表示用可動部品（１）。
【請求項８】
前記開口（６）には、道具の第１の端の挿入を可能にするように構成している少なくとも第１のガイド貫通穴（６１）及び道具の第２の端の挿入を可能にするように構成している少なくとも第２のガイド貫通穴（６２）があり、
前記フランジ（５）と前記少なくとも１つの弾性細長材（４）の間の少なくとも１つの相対的角位置及び前記少なくとも１つの弾性細長材（４）の平穏位置において、前記少なくとも１つの弾性細長材（４）は、前記第１のガイド貫通穴（６１）及び／又は前記第２のガイド貫通穴（６２）と少なくとも部分的に重なり合っており、
これによって、道具の前記第１の端と前記第２の端の挿入及び前記フランジ（５）と各弾性細長材（４）の間の相対回転の間に、前記道具が挿入された後にユーザーが前記道具にさせた回転の影響の下で、前記少なくとも１つの弾性細長材（４）が前記表示軸（ＤＡ）から離される
ことを特徴とする請求項１に記載の表示用可動部品（１）。
【請求項９】
請求項１に記載の表示用可動部品（１）を少なくとも１つ有する表示調整アセンブリー（２００）であって、
当該表示調整アセンブリー（２００）は、手動的に又はロボット的マニピュレーターによって用いられる少なくとも１つの道具（２０１）を有し、
前記道具は、前記少なくとも１つの表示用可動部品（１）に形成された前記開口（６）と相補的な形態で連係する端（２０２）を有し、
前記少なくとも１つの表示用可動部品（１）には、前記少なくとも１つの表示用可動部品（１）に前記弾性細長材（４）が１つのみあるときに単一の前記弾性細長材（４）に対向する開口とは離れている開口（６）がある
ことを特徴とする表示調整アセンブリー（２００）。
【請求項１０】
アーバー（２）を有する少なくとも１つの駆動用可動部品（３）を有する計時器用機構（３００）であって、
請求項１に記載の表示用可動部品（１）及び／又は請求項９に記載の表示調整アセンブリー（２００）と連係するように構成している
ことを特徴とする機構（３００）。
【請求項１１】
少なくとも１つの前記アーバー（２）には、前記表示軸（ＤＡ）の方向における前記表示用可動部品（１）の縦方向の遊びを制限する遊び制限手段を形成する溝又は肩部がある
ことを特徴とする請求項１０に記載の機構（３００）。
【請求項１２】
請求項１に記載の表示用可動部品（１）を少なくとも１つ有する
ことを特徴とする計時器用ムーブメント（１００）。
【請求項１３】
請求項１０に記載の機構（３００）を少なくとも１つ、及び／又は請求項１に記載の表示用可動部品（１）を少なくとも１つ、及び／又は請求項９に記載の表示調整アセンブリー（２００）を少なくとも１つ有する
ことを特徴とする携行型時計（５００）。
【発明の詳細な説明】
【技術分野】
【０００１】
本発明は、少なくとも１つの弾性細長材を有する計時器の表示用可動部品に関し、この弾性細長材は、表示軸に近い平穏位置に戻されて、前記表示軸のまわりにてムーブメント又は計時器用機構の駆動用可動部品が備えるアーバーと摩擦駆動するように連係するように意図されている。
【０００２】
本発明は、さらに、少なくとも１つの前記表示用可動部品を有する表示調整アセンブリーに関する。
【０００３】
本発明は、さらに、前記表示用可動部品及び／又は前記表示調整アセンブリーと連係するように構成しているアーバーを有する少なくとも１つの駆動用可動部品を有する計時器用機構に関する。
【０００４】
本発明は、さらに、少なくとも１つの前記機構及び／又は少なくとも１つの前記表示用可動部品及び／又は１つの前記表示調整アセンブリーを有する計時器用ムーブメントに関する。
【０００５】
本発明は、さらに、少なくとも１つの前記ムーブメント及び／又は少なくとも１つの前記機構及び／又は１つの前記表示用可動部品及び／又は少なくとも１つの前記表示調整アセンブリーを有する、計時器、特に、携行型時計（例、腕時計、懐中時計）、に関する。
【０００６】
本発明は、計時器の表示機構の分野に関する。
【背景技術】
【０００７】
インデント車や摩擦車のような計時器における通常の摩擦システムには、以下のようないくつかのよく知られている課題がある。
−  摩擦トルクを制御することが難しい。
−  時間が経過するにしたがって摩擦トルクの安定性が落ちる。
−  組み付けと分解が難しい。
【０００８】
SEIKO INSTRUMENTS INC.による日本国特許出願ＪＰ２０１８１５５５８７Ａは、位置を摺動可能に調整可能な可動部品を開示しており、この可動部品は、実質的に半径方向のアームを担持している環状胴体を有し、同じアーバーをその異なる軸方向の位置において弾性的にクランプするように構成している。
【０００９】
ETA Manufacture Horlogere Suisseによる欧州特許出願ＥＰ２９５７９６３Ａ１は、いくつかの部分によって構成している計時器の可動部品を開示しており、この可動部品はアーバーを有し、このアーバーには、第１の回転軸のまわりに、単一の軸方向の位置にあるプレートによって構成している第２の部品を受けるように構成しているハウジングがある。このプレートには、第２の回転軸を基準とする周部面がある。アーバーには、このハウジングの両側において、前記第１の回転軸の方向に、アーバーに当接するようにプレートを保持するように構成している軸方向の当接面がある。このプレートは、第２の回転軸に対して半径方向に弾力がある第１のアームと、及び堅固である又は第２の回転軸に対して半径方向に弾力がある少なくとも第２のアームとを有する。この第１の弾性アーム及び第２のアームはともに、軸方向の当接面の近くのアーバーにある半径方向の支持面をクランプするように構成しているクランプを形成する。このアーバーは、各第１の弾性アーム、そして、プレートにあれば各第２の弾性アーム、を半径方向に押し戻すように構成しているエントリー傾斜ランプを有し、これによって、プレートをアーバー上に配置することを可能にする。
【００１０】
ETA Manufacture Horlogere Suisseによる欧州特許出願ＥＰ２７６５４６２Ａ１は、車の回転軸に対して非ゼロの非平衡がある部品を駆動する耐衝撃性計時器用車を開示している。この車は、この車を回転軸のまわりに回転可能にガイドするためのアーバーと、この車のフランジ上に配置された駆動手段とを有する。この車は、アーバーとフランジの間に少なくとも１つのフレキシブル要素を有する。フランジには、円筒状の肩部があり、この円筒状の肩部は、アーバーにある相補的な円筒状の肩部とセンタリング目的で当接連係して、アーバーとの駆動手段の完全な同心性を確実にする。
【００１１】
ETA Manufacture Horlogere Suisseによる欧州特許出願ＥＰ２９７７８２９Ａ１は、制動用可動部品を備える計時器アセンブリーを開示している。この制動用可動部品は、アーバーに回転可能にマウントされた車の第２の面と回転ガイダンス目的で連係する第１の面を有するアーバーを有し、第１の面又は第２の面はそれぞれ、アーバーで又は前記車と一体化された、少なくとも第１の弾性戻し手段の作用が与えられる少なくとも第１のアーム上に、少なくとも１つの制動用の面を有し、これは、第２の面又は第１の面に対して回転軸を中心とした半径方向の力をはたらかせるように構成している。この制動用可動部品のアセンブリーは、前記制動用の表面によって第２の面又は第１の面に対して与えられる摩擦の離散的な値を調整するビルトインされた手段を有する。
【発明の概要】
【発明が解決しようとする課題】
【００１２】
本発明は、計時器用ムーブメントにおいて、任意の表示用可動部品、特に、時間をセットするためのもの、を調整するための、摩擦システムを備える調整機構を定めることを提案するものである。
【課題を解決するための手段】
【００１３】
このために、本発明は、請求項１に記載の摩擦調整機構を備える計時器の表示用可動部品に関する。
【００１４】
本発明は、さらに、少なくとも１つの前記表示用可動部品を有する表示調整アセンブリーに関する。
【００１５】
本発明は、さらに、前記表示用可動部品及び／又は前記表示調整アセンブリーと連係するように構成しているアーバーを有する少なくとも１つの駆動用可動部品を有する計時器用機構に関する。
【００１６】
本発明は、さらに、少なくとも１つの前記機構及び／又は少なくとも１つの前記表示用可動部品及び／又は１つの前記表示調整アセンブリーを有する計時器用ムーブメントに関する。
【００１７】
本発明は、さらに、少なくとも１つの前記ムーブメント及び／又は少なくとも１つの前記機構及び／又は１つの前記表示用可動部品及び／又は少なくとも１つの前記表示調整アセンブリーを有する計時器、特に、携行型時計、に関する。
【００１８】
添付図面を参照しながら下記の詳細な説明を読むことで、本発明の他の特徴及び利点を理解することができる。
【図面の簡単な説明】
【００１９】
【図１】互いに組み付けられたフランジ及び一体化された弾性ばね構造を有する本発明に係る表示用可動部品の概略斜視図である。
【図２】駆動用可動部品のアーバーと整列している表示用可動部品の部品の概略分解斜視図である。
【図３】一体化された弾性ばね構造を上から見た概略図である。
【図４】フランジの概略平面図である。
【図５】図１と同様な形態で、この表示用可動部品と連係して、その表示用可動部品が備える弾性細長材を離すように構成している道具を示している。
【図６】図１と同様な形態で、細長材の離れた位置において、表示用可動部品との図５の道具の連係を示している。
【図７】同じ連係位置における図６の部品の側面図である。
【図８】図７と同様な図であり、駆動用可動部品のアーバーに近づいている、形成されたアセンブリーを示している。
【図９】駆動用可動部品のアーバーをクランプする表示用可動部品の断面図である。
【図１０】図４の変種であり、細長材どうしを離すための付加的なリリーフ部と、及び一体化された弾性ばね構造との相対的インデキシングのための要素とを備える。
【図１１】図４の変種であり、細長材どうしを離すための付加的なリリーフ部と、及び一体化された弾性ばね構造との相対的インデキシングのための要素とを備える。
【図１２】図１と同様な形態で、細長材がカンチレバー構成とはなっておらず、フランジの周部に近いそれらの２つの端の間で張っている。
【図１３】駆動用可動部品を有する機構を備えたムーブメントを有する携行型時計を表すブロック図であり、本発明に係る表示用可動部品を有する表示調整アセンブリー。
【発明を実施するための形態】
【００２０】
本発明は、計時器用ムーブメントにおいて調整を行うための摩擦システムに関し、特に（これに限定されない）、時間をセットするための摩擦システムに関する。
【００２１】
本発明は、特に、少なくとも１つの弾性細長材４を有する計時器の表示用可動部品１に関する。この弾性細長材４は、表示軸ＤＡの近くの平穏位置に戻されて、前記表示軸ＤＡのまわりにて摩擦駆動するように、ムーブメント１００又は計時器用機構の駆動用可動部品３が備えるアーバー２と連係するように意図されている。
【００２２】
本発明によると、表示用可動部品１は、フランジ５を有し、このフランジ５には、各弾性細長材４に対向するように開口６があり、この開口６は、操作者によって操作される道具（ピンセットなど）又はロボット的マニピュレーターによって操作される道具の挿入とガイドのために形成されており、これによって、この道具が、弾性細長材４を平穏位置から別の状態に移行させて、表示用可動部品１をアーバー２に通すことができるように十分に弾性細長材４が離れているときに、表示用可動部品１にアーバー２を挿入し、弾性細長材４がアーバー２と摩擦連係しており前記道具が弾性細長材４と接していないときに、アーバー２上のすべての弾性細長材４の摩擦値が一定であることを確実にすることができる。
【００２３】
特に、表示用可動部品１は、複数の弾性細長材４を有し、これらの弾性細長材４は、アーバー２に与える半径方向の力の表示軸ＤＡにおける合力がゼロであるように構成している。
【００２４】
特に、図に示している実施形態（これに限定されない）に示しているように、表示用可動部品１は、表示軸ＤＡに対して対称に構成している２つの弾性細長材４を有し、開口６は、表示軸ＤＡに対して対称なオブロング状の溝である。特に、これらの開口６は、表示軸ＤＡを通り抜ける直線に沿ったオブロング状の溝６１、６２である。
【００２５】
特に、表示用可動部品１が備える弾性細長材４はすべて、フランジ５に回転可能にマウントされるように、又はフランジ５とともに固定された固定位置に組み付けられ、又はフランジ５を形成するように構成している共通の一体化された弾性構造７の一部である。
【００２６】
特に、一体化された弾性構造７は、フランジ５に回転可能にマウントされて、表示軸ＤＡに対する弾性細長材４の半径方向の広がりを大きくすることを可能にするように構成しており、インデキシング要素８を有する。これらのインデキシング要素８は、フランジ５が備える相補的インデキシング要素９と連係して、弾性細長材４がアーバー２と摩擦連係しているとき、及び道具２００が弾性細長材４に接しなくなったときに、それらのインデキシング要素８が一体的に回転するように構成している。
【００２７】
特に、図１０に示しているように、フランジ５には、各弾性細長材４に対向するようにリリーフ部１１がある。このリリーフ部１１は、一体化された弾性構造７に対する取り付け点又は固定点と、表示軸ＤＡの近くの弾性細長材４にある摩擦領域１３との間にて、弾性細長材４上に平穏状態となるように配置されるように構成しており、これによって、フランジ５と一体化された弾性構造７との間の相対的角位置に応じて弾性細長材４が発生させる当接力を変える。
【００２８】
特に、図に示しているように、共通の一体化された弾性構造７は、取り外し可能であり、固定位置にてフランジ５と組み付けられるように構成している。この固定位置を、特定の相対的角位置において、ピンなどによって、インデキシング要素８１と相補的インデキシング要素９１との連係を通してインデキシングすることができる。
【００２９】
図示していない特定の実施形態において、共通の一体化された弾性構造７は、フランジ５を形成する。
【００３０】
特に、弾性細長材４はそれぞれ、フランジ５、又はフランジ５上に配置された共通の一体化された弾性構造７に、取り付けられるための少なくとも１つのアタッチメント４１を有し、このアタッチメント４１は、表示軸ＤＡを中心とする半径方向における表示軸ＤＡの近くの運動をする弾性細長材４の最大限の運動を可能にするように、表示軸ＤＡから離れている。
【００３１】
図１〜１１に示している実施形態（これに限定されない）において、弾性細長材４はそれぞれ、そのアタッチメント４１に対するカンチレバー構成にされ、その遠位端において又はその遠位端の近くにおいて、アーバー２と摩擦連係するように構成している摩擦領域１３を有する。
【００３２】
特に、開口６には、道具の第１の端の挿入を可能にするように構成している少なくとも第１のガイド貫通穴６１と、及び道具の第２の端の挿入を可能にするように構成している少なくとも第２のガイド貫通穴６２とがある。そして、フランジ５と前記少なくとも１つの弾性細長材４の間の少なくとも１つの相対的角位置及び少なくとも１つの弾性細長材４の平穏位置において、前記少なくとも１つの弾性細長材４は、第１のガイド貫通穴６１及び／又は第２のガイド貫通穴６２に対して少なくとも部分的に重なり合い、これによって、前記道具の第１の端と第２の端を挿入している間に及び／又はフランジ５と各弾性細長材４の間の相対回転の間に、その挿入の後にユーザーによって前記道具が行う回転の影響の下で、表示軸ＤＡから離される。
【００３３】
図１２は、２つの弾性細長材４を有する別の実施形態を示しており、その各弾性細長材４は、その２つの端４２及び４３において保持され、それらの動作位置において張っている。特に、これらの２つの細長材４は、表示軸ＤＡに対して対称である。特に、これらの２つの細長材は、取り付け点に近い第１の区画においては互いに平行となっており、その次に、それらの中心部において実質的に表示軸ＤＡの方に集まっている。
【００３４】
本発明は、さらに、少なくとも１つの前記表示用可動部品１を有する表示調整アセンブリー２００に関する。特に、この調整アセンブリー２００は、手動的に又はロボット的マニピュレーターを用いて使用する少なくとも１つの道具２０１を有し、これは、前記少なくとも１つの表示用可動部品１に形成された開口６と相補的な形態で連係するように構成している端２０２を有する。前記少なくとも１つの表示用可動部品１に弾性細長材４が１つだけしかない場合には、その表示用可動部品１には、単一の弾性細長材４に対向する開口とは離れた開口６がある。
【００３５】
本発明は、さらに、前記表示用可動部品１及び／又は前記表示調整アセンブリー２００と連係するように構成しているアーバー２を有する少なくとも１つの駆動用可動部品３を有する計時器用機構３００に関する。特に、少なくとも１つのアーバー２には、表示軸ＤＡの方向にて表示用可動部品１の縦方向の遊びを制限する遊び制限手段を形成する溝又は肩部がある。
【００３６】
本発明は、さらに、少なくとも１つの前記機構３００及び／又は少なくとも１つの前記表示用可動部品１及び／又は少なくとも１つの前記表示調整アセンブリー２００を有する計時器用ムーブメント１００に関する。
【００３７】
本発明は、さらに、少なくとも１つの前記ムーブメント１００及び／又は少なくとも１つの前記機構３００及び／又は少なくとも１つの前記表示用可動部品１及び／又は少なくとも１つの前記表示調整アセンブリー２００を有する計時器５００、特に、携行型時計、に関する。
【００３８】
短く書くと、当該機構は、任意の表示用可動部品のために設計されており、時車の摩擦において特に利用可能である。本発明は、改善された筒かなを提供する。
【００３９】
一体化された弾性ばね構造７は、特に、フランジ５と一体的に、そして、フランジ５の下に、マウントされる。
【００４０】
一体化された弾性構造７とフランジ５によって形成されるアセンブリーは、ピンセットのような手動的な道具を用いて又は自動道具２００によって、駆動用可動部品３のアーバー２にマウントされる。道具の端又は道具が備えるピン２０２の端は、フランジ５の開口６内にポジショニングされ、このフランジ５は、弾性細長材４によって形成される一体化された弾性ばね構造７のアームを離す。一体化された弾性構造７とフランジ５によって形成されるアセンブリーがアーバー２上にポジショニングされ、道具が取り除かれる。したがって、ばねのアームは、動作状態になり、アーバー２に対して摩擦トルクを発生させる。分解時にも、当該道具が同じ形態で用いられる。
【００４１】
摩擦トルクは、ばねアームの作用量又はそれらの寸法構成（幅／厚み）を大きくしたり小さくしたりすることによって、容易に調整することができる。
【００４２】
一体化された弾性構造７及びフランジ５によって形成されるアセンブリーを軸方向に制限するために、アーバー２に肩部を作ることは有利である。
【００４３】
本発明には、以下のような様々な利点がある。
−  組み付けを力づくで行わず塑性変形させずに行うこと
−  サイジングの計算やシミュレーションが容易であること
−  摩擦トルクを容易に制御可能であること
−  時間が経過しても安定性が良好であること
【符号の説明】
【００４４】
１  表示用可動部品
２  アーバー
３  駆動用可動部品
４  弾性細長材
５  フランジ
６  開口
７  一体化された弾性構造
８  インデキシング要素
９  相補的インデキシング要素
１１  リリーフ部
１２  取り付け点
１３  摩擦領域
４１  アタッチメント
６１  第１のガイド貫通穴
６２  第２のガイド貫通穴
１００  計時器用ムーブメント
２００  表示調整アセンブリー
２０１  道具
３００  計時器用機構
５００  携行型時計
６１、６２  オブロング状の溝
ＤＡ  表示軸
【図１】
2020095030.tif 000003
【図２】
2020095030.tif 000004
【図３】
2020095030.tif 000005
【図４】
2020095030.tif 000006
【図５】
2020095030.tif 000007
【図６】
2020095030.tif 000008
【図７】
2020095030.tif 000009
【図８】
2020095030.tif 000010
【図９】
2020095030.tif 000011
【図１０】
2020095030.tif 000012
【図１１】
2020095030.tif 000013
【図１２】
2020095030.tif 000014
【図１３】
2020095030.tif 000015
【外国語明細書】
2020095030000001.pdf